(57)【要約】【課題】控え金具の出寸法に応じて集水ますと駆体との隙間を見えなくするとともに、外観もすっきりとした雨水排水用化粧ますを提供する。【解決手段】竪樋８の頂部に取り付けられる集水ます２と、該集水ます２に組み付けられるカバー部１とからなる化粧ますであって、該集水ます２には雨水を案内するエルボ７が挿入され、上記カバー部１は集水ます２に覆設されるとともに、駆体５との隙間を見えなくするように駆体方向にスライド自在とされ、上記カバー部１の底部１１は上記竪樋が挿通する馬蹄形とされた雨水排水用化粧ますＡ。【選択図】図１
2006193989.tif 000002
【特許請求の範囲】
【請求項１】
竪樋の頂部に取り付けられる集水ますと、該集水ますに組み付けられるカバー部とからなる化粧ますであって、該集水ますには雨水を案内するエルボが挿入され、上記カバー部は集水ますに覆設されるとともに、駆体との隙間を見えなくするように駆体方向にスライド自在とされ、上記カバー部の底部は上記竪樋が挿通する馬蹄形とされた雨水排水用化粧ます。
【請求項２】
上記カバー部が上記集水ますよりも駆体方向に長尺に形成されるとともに、該集水ますに弾性係止し、上記集水ますと駆体との隙間の幅に応じて出寸法が調節可能とされた請求項１に記載の雨水排水用化粧ます。
【請求項３】
上記カバー部の内側面に出寸法微調整用のリブが刻設されるとともに、上記集水ますの外側面にも上記リブに噛合する出寸法微調整用のリブが突設された請求項１に記載の雨水排水用化粧ます。
【請求項４】
上記カバー部の屋外側面が半円筒状とされた請求項１に記載の雨水排水用化粧ます。
【請求項５】
上記集水ますの天板に換気用の孔が設けられるとともに、上記カバー部の天板にも換気用の長孔が設けられた請求項１に記載の雨水排水用化粧ます。
【発明の詳細な説明】
【技術分野】
【０００１】
本発明は、集水ますに関する。さらに詳しくは、建物の駆体に取り付けられる雨水排水用化粧ますに関する。
【背景技術】
【０００２】
陸屋根を有する家屋あるいはビルの屋上等からの雨水排水をエルボを介して集水する集水ますは公知であり、例えば下記特許文献に記載の先行技術が知られている。
【特許文献１】実開平６−８７５３４号公報（第１−２頁、第５図）
【発明の開示】
【発明が解決しようとする課題】
【０００３】
従来、公知の集水ますＢとしては、本願図５に示すように、屋上の雨水排水溝を構成する壁６を横貫したエルボ７が背壁部に挿入されるとともに、底部に竪樋８が垂設された構造が知られている。上記竪樋８は、通常、控え金具９によって建物の駆体５に取り付けられているが、この控え金具９の出寸法によって駆体５と上記集水ますＢとの間に隙間が開き、上記エルボが露出して外観上好ましくないという問題が生じる。本発明は、このような問題を解決して、控え金具の出寸法に応じて集水ますと駆体との隙間を見えなくするとともに、外観もすっきりとした雨水排水用化粧ますを提供することをその課題とする。
【課題を解決するための手段】
【０００４】
上記課題を解決するために、本発明においては、つぎのような技術的手段を講じている。すなわち、本発明によれば、竪樋の頂部に取り付けられる集水ますと、該集水ますに組み付けられるカバー部とからなる化粧ますであって、該集水ますには雨水を案内するエルボが挿入され、上記カバー部は集水ますに覆設されるとともに、駆体との隙間を見えなくするように駆体方向にスライド自在とされ、上記カバー部の底部は上記竪樋が挿通する馬蹄形とされた雨水排水用化粧ますが提供される。
【０００５】
上記カバー部は、好ましくは、弾性を有する硬質樹脂、例えば、硬質塩化ビニル樹脂、ポリプロピレン、ＡＢＳ樹脂、ポリカーボネート樹脂等から形成される。また、上記カバー部は上記集水ますよりも駆体方向に長尺に形成されるとともに、集水ますに弾性係止し、駆体との隙間の開きに応じて出寸法が調節可能とされる。
【０００６】
上記カバー部の内側面には出寸法微調整用のリブが刻設されるとともに、上記集水ますの外側面にも上記リブに噛合する出寸法微調整用のリブが突設されることが好ましい。上記リブとしては、通常、鋸歯形のリブが用いられる。
【０００７】
上記カバー部の屋外側面が半円筒状とされることが好ましい。また、上記集水ますの天板に換気用の孔が設けられ、上記カバー部の天板にも換気用の長孔が設けられることが好ましい。
【発明の効果】
【０００８】
請求項１に記載の発明は上記のとおりであり、上記カバー部は集水ますに覆設されるとともに、駆体との隙間を見えなくするように駆体方向にスライド自在とされているため、隙間を覆って上記エルボを隠すことが可能となり、すっきりとした外観を有する雨水排水用化粧ますを提供することができる。
【０００９】
上記カバー部が上記集水ますよりも駆体方向に長尺に形成されるとともに、該集水ますに弾性係止するため、上記集水ますと駆体との隙間の幅に応じて出寸法を調節することが可能となり、竪樋を駆体に固定する種々の控え金具に対応してスライドし、隙間を覆うことができる。
【００１０】
上記カバー部の内側面に出寸法微調整用のリブが刻設されるとともに、上記集水ますの外側面にも出寸法微調整用のリブが突設され、両者が噛み合ってスライドするためカバー部の移動距離を小さなピッチで微調整することができ、種々の控え金具に対応して出寸法を調節することができる。
【００１１】
上記カバー部の屋外側面が半円筒状とされているため、柔らかな外観を有し、意匠性の向上した雨水排水用化粧ますとすることができる。また、上記集水ますの天板に換気用の孔が設けられるとともに、上記カバー部の天板にも換気用の長孔が設けられ、カバー部がスライドしても通気性が保たれるため、雨水をスムースに流すことができ、かつ、竪樋内の換気性を保つことができる。
【発明を実施するための最良の形態】
【００１２】
以下、本発明の実施形態について図面を参照して詳細に説明する。図１は、本発明にかかる雨水排水用化粧ますＡの概略構成を示す分解斜視図である。図１からよくわかるように、上記化粧ますＡを構成する集水ます２は控え金具９によって後記する駆体に固定されるとともに、その底部２１には縦樋８が接続され、駆体対向面２２には雨水を案内するエルボ７が挿入される。また、その天板２４には換気用の孔４が設けられている。
【００１３】
一方、上記集水ます２に覆設されるカバー部１は弾性を有する合成樹脂から形成され、集水ます２よりも駆体方向に長尺とされるとともに、上記集水ます２に弾性係止して、駆体方向にスライド自在とされている。また、上記カバー部１の屋外側のカバー面１２は、外観的に柔らかな印象を与えるように半円柱状とされ、馬蹄形の底部１１には、上記竪樋８が挿通する竪樋挿通部１１１が設けられている。また、天板１４には、カバー部１がスライドしても集水ます２の天板２４に設けられた換気用の孔４と通じるように換気用の長孔３が設けられている。
【００１４】
このように、集水ます２に覆設され、弾性係止したカバー部１はスライド自在であり、駆体との隙間の幅に応じて出寸法の調整を行うことができる。したがって、集水ます２と躯体との間に隙間が生じても、控え金具９の種類に対応してカバー部１の躯体側端部が躯体に接離し、外観的に見栄えよくエルボ７を覆い、隙間を見えなくすことができる。
【００１５】
図２は、図１に示す雨水排水用化粧ますの応用例を示すカバー部１と集水ます２の平断面図である。以下図１も参照しながら説明する。図２において、カバー部１の内側面１３には出寸法を微調整するための鋸歯形のリブ１３１が刻設され、上記集水ます２の外側面２３には上記リブに噛合する鋸歯形のリブ２３１が突設されている。図２において、集水ます２は、控え金具９によって躯体５に固定された竪樋８の頂部に取り付けられるとともに、この集水ます２にカバー部１を矢印の方向に押し込むことによって、上記カバー部１は上記集水ます２に弾性的に覆設される。カバー部１は図１に示す実施形態と同様にして躯体５にスライド自在に接離するが、本応用例では上記リブ１３１とリブ２３１とが噛み合うことによって、移動距離を小さなピッチで微調整することができる。
【００１６】
図３（ａ）は、カバー部１を集水ます２に弾性的に覆設した状態を示す平断面図である。図３（ａ）に示す状態においては、躯体５と集水ます２との間には隙間があり見栄えがよくないため、図３（ｂ）に示すようにカバー部１を躯体５の方向にスライドさせる。その結果、カバー部１は図３（ｂ）にｄで示す距離を移動して上記の隙間を見えなくすることができる。このとき、上記リブ１３１とリブ２３１とが噛み合いながら小さなピッチでスライドするため、施工現場によって控え金具の種類が異なっても、カバー部１の出寸法を微調整することができる。
【００１７】
図４は、図３（ｂ）に示すように、カバー部１を躯体５に接近させ、上記隙間を見えなくした状態を示す側面図である。図４から明らかなように、上記隙間が見えずにすっきりとした外観となり、また、屋外側には、カバー部１の半円柱状部分が現れるため、柔らかな、意匠性の向上した雨水排水用化粧ますとすることができる。なお、上記以外にも集水ます２の天板２４を除いてカバー部１の天板１４を兼用する等、種々の設計変更が可能であり、本発明の特許請求の範囲を逸脱しない限り、いずれも本発明の技術的範囲に含まれる。
【図面の簡単な説明】
【００１８】
【図１】本発明にかかる雨水排水用化粧ますの概略構成を示す分解斜視図である。
【図２】図１に示す実施形態の応用例を示すカバー部と集水ますの平断面図である。
【図３】（ａ）図２に示すカバー部を集水ますに覆設した状態を示す平断面図である。
【００１９】
（ｂ）図３（ａ）に示すカバー部を躯体方向にスライドさせ、隙間を見えなくした状態を示す平断面図である。
【図４】本発明にかかるカバー部を躯体に接近させ、隙間を見えなくした状態を示す側面図である。
【図５】公知の集水ますを示す側面図である。
【符号の説明】
【００２０】
Ａ          本発明にかかる雨水排水用化粧ます
Ｂ          公知の集水ます
１          カバー部
１１        底部
１１１      竪樋挿通部
１２        屋外側のカバー面
１３        内側面
１３１      内側面に刻設されたリブ
１４        天板
２          集水ます
２１        底部
２２        駆体対向面
２３        外側面
２３１      外側面に突設されたリブ
２４        天板
３          換気用の長孔
４          換気用の孔
５          駆体
６          雨水排水溝を構成する壁
７          エルボ
８          竪樋
９          控え金具
【図１】
2006193989.tif 000003
【図２】
2006193989.tif 000004
【図３】
2006193989.tif 000005
【図４】
2006193989.tif 000006
【図５】
2006193989.tif 000007